(57)【要約】【要  約】【課  題】    持ち運び可能で簡単、手軽な汚れ落とし装置を実現する。【解決手段】  電動で直線状に往復運動する振動部11を有する本体１と、振動部11に取り付けられたクランプ12と、このクランプ12を介して着脱自在に保持されるＬ字形のクリーニングヘッド２とからなり、クリーニングヘッド２の各先端には凹凸面を有するハンマ21、あるいはブラシ22のいずれかを備える。【選択図】    図１
2005237466.tif 000002
【特許請求の範囲】
【請求項１】
電動で直線方向に往復運動する振動部（11）を有する本体（１）と、前記振動部（11）に取り付けられたクランプ（12）と、このクランプ（12）を介して着脱自在に保持されるＬ字形のクリーニングヘッド（２）とからなる振動式汚れ落とし装置であって、前記Ｌ字形のクリーニングヘッド（２）が各先端に凹凸面を有するハンマ（21）、あるいはブラシ（22）のいずれかを備えたものである振動式汚れ落とし装置。
【請求項２】
電動で直線方向に往復運動する振動部（11）を有する本体（１）と、前記振動部（11）に取り付けられたクランプ（12）と、このクランプ（12）を介して着脱自在に保持される直線状のクリーニングヘッド（2a、2b）とからなる振動式汚れ落とし装置であって、前記直線状のクリーニングヘッド（2a、2b）が先端に凹凸面を有するハンマ（21）、あるいはブラシ（22）のいずれかを備えたものである振動式汚れ落とし装置。
【発明の詳細な説明】
【技術分野】
【０００１】
本発明は、衣服や家財等に発生した染み等の局所的な汚れを振動を利用して除去する振動式汚れ落とし装置に関する。
【背景技術】
【０００２】
衣服や着物等の汚れは一般的にドライクリーニングなどの洗濯手段によって除去されるが、インクや油、醤油などが付着したり降りかかった場合の局所的な汚れはドライクリーニングなどでは除去できず、しみとなって残ってしまうのが通例である。そこでそのような汚れに対してはあらためて洗浄液などを染み込ませて叩いたり「へら」やブラシでこすったりして染み抜きを試みるのであるが、布地を傷めるなどの問題点があった。また洗剤、溶剤等を気泡にして圧力により吹き付けたり、あるいは吸引したりすることも行われているが、奥まで入り込んだ汚れはなかなか取り除くことができないのが実情であった。
【０００３】
特許文献１には、超音波の振動を利用してこのような染み抜きを行うことが記載されている。これを図４、図５により簡単に説明する。
【０００４】
図４はこの超音波染み抜き装置３の構成を示す構成図で、31は超音波発生ヘッド部、32はホーン、33は振動子、34は発振器、35は電源である。すなわち、超音波染み抜き装置３は超音波発生ヘッド部31を先端に有するホーン32を振動子33に接続し、この振動子33に発振器34を接続し、発振器34を電源35に接続して構成される。図５はこの超音波染み抜き装置３を使用して衣服の染み抜きを行っている状況を示す説明図で、Ｃは衣服、Ｐは当て布である。しみの付いた衣服Ｃの表面、あるいは裏面に、水または洗剤等を染み込ませた当て布Ｐまたは紙を当て、しみの付いた部分に超音波発生ヘッド部31を当ててしみを抜くのである。超音波による凝集作用、あるいは気体を溶存した液体中での空洞現象によって汚れの分子を衣服の繊維から剥離させるのであるが、超音波は液体中しか伝達されないため水を含ませた状態で行うことが必要であり、長時間を要する割りには効果はあまり見られなかった。
【特許文献１】特開昭６１−２４９５００号公報
【発明の開示】
【発明が解決しようとする課題】
【０００５】
本発明は、簡単な装置により、手軽に、かつより完全に汚れを落とすことのできる汚れ落とし装置を実現することを目的とする。
【課題を解決するための手段】
【０００６】
本発明は、電動で直線方向に往復運動する振動部を有する本体と、前記振動部に取り付けられたクランプと、このクランプを介して着脱自在に保持されるＬ字形のクリーニングヘッドとからなる振動式汚れ落とし装置であって、前記Ｌ字形のクリーニングヘッドが各先端に凹凸面を有するハンマ、あるいはブラシのいずれかを備えたものである振動式汚れ落とし装置であるか、あるいは、電動で直線方向に往復運動する振動部を有する本体と、前記振動部に取り付けられたクランプと、このクランプを介して着脱自在に保持される直線状のクリーニングヘッドとからなる振動式汚れ落とし装置であって、前記直線状のクリーニングヘッドが先端に凹凸面を有するハンマ、あるいはブラシのいずれかを備えたものである振動式汚れ落とし装置である。
【発明の効果】
【０００７】
本発明の振動式汚れ落とし装置は小型、軽量で持ち歩き容易であるから、いかなる場所でも手軽に使用することが可能であり、ものに付いた汚れを短時間に効率よく落とすことができ、クリーニング作業が効率化されるばかりでなく、衣類や室内のクリーン度が改善され、快適な生活環境が実現するという、すぐれた効果を奏する。
【発明を実施するための最良の形態】
【０００８】
本発明においては、電動による往復運動を利用し、布地の汚れ部分に洗剤を染み込ませておいて繰り返しハンマを布地に叩きつけて汚れを落とし、水をかけてブラシでこすりながらすすぐという２工程で汚れ落としを行う。クリーニングヘッドの向きを選択することで往復運動を叩く、こするという２種類の処理に利用することができる。一方の先端に凹凸面を有するハンマ、他方の先端にブラシを備えたＬ字形のクリーニングヘッドを使用し、あるいはＬ字形のクリーニングヘッドを使用せず、先端に凹凸面を有するハンマ、あるいはブラシを備えた直線状のクリーニングヘッドを交互に付け替えて使用して上記２種類の処理を行う。
【０００９】
電動で直線方向に往復運動する振動部を有する本体は、新規に製作しても良いのはいうまでもないが、機構としては電気かみそり、電動バリカンなどのものがそのまま流用できる。これらには通常、高速回転の小型モータと樹脂製の偏心カム、クランク機構などが使われている。
【００１０】
なお、クリーニングヘッドの取り付けがクランプ式になっているので、必要に応じて形状、硬さ等の異なるものに替えることもできるし、摩耗等によって新しいものに交換することも容易である。
【実施例１】
【００１１】
本発明の第１の実施例を図面により説明する。図１は実施例の振動式汚れ落とし装置の正面図で、１は本体、11は本体１の振動部、12はこの振動部11と一体に取り付けられ、クリーニングヘッド２を着脱自在に保持するクランプ、13はスイッチである。
【００１２】
スイッチ13を入れると、前記したような機構により振動部11が矢印方向に往復運動を行う。固定刃と移動刃とを組み合わせた電気かみそりや電動バリカンでは、固定刃が本体１に、移動刃が振動部11に取り付けられている。本発明の振動式汚れ落とし装置の場合も全く同様である。電源は充電式でもよいし、家庭用コンセントに差し込んで使用してもよい。
【００１３】
クランプ12はワンタッチで保持、解放を行えるよう、例えば文房具のターンクリップのようなものが望ましい。そしてクランプ12には一方の先端に凹凸面を有するハンマ21、他方の先端にブラシ22を備えたＬ字形のクリーニングヘッド２が着脱自在に保持される。図２はクリーニングヘッド２を示す斜視図である。20はクランプ12に保持される保持部で、クランプ12に合わせて保持されやすい形状、すなわち平面などに加工してある。全体を例えば硬質の樹脂製とする。ハンマ21やブラシ22部分を保持部20と一体で製作してもよいし、別物を接着してもよい。ブラシの毛についても、別材質とすることは任意である。
【００１４】
図１の例ではハンマ21が振動部11の矢印方向を向いているから、叩く場合にはハンマ21が前記往復運動方向に振動し、こする場合はブラシ22が前記往復運動と直角方向に振動するようになっている。
【００１５】
なお、Ｌ字形のクリーニングヘッド２の先端はこの図のようにハンマ21とブラシ22との両方を備えるものとは限らず、使用状況に合わせてたとえば両方ともハンマ21、あるいは両方ともブラシ22にすることは任意である。両方ともハンマ21とした場合、図１のブラシ22の代わりにハンマ11を横方向に振動させるので、やや強力にこすることができる。また両方ともブラシ22にした場合、図１のハンマ21の代わりにブラシ22を毛の向きに振動させるので、ハンマよりも柔らかく叩くことができる。
【実施例２】
【００１６】
図３は、図２に示したものとは異なるクリーニングヘッドの実施例を示す斜視図である。このクリーニングヘッド2a、2bは直線状で、先端に凹凸面を有するハンマ21、あるいはブラシ22のいずれかを備えており、これらを適宜取り替えて図１のクランプ12に保持して使用する。使用方法は第１の実施例と同様である。
【００１７】
これらの実施例の汚れ落とし装置は、電気かみそり程度の大きさ、重量で、いかなる場所へも手軽に持ち歩いて使用することができ、叩く、こするの２種類の処理によって奥まで入り込んだ汚れも簡単に落とすことができる。
【００１８】
以上衣類などの染み抜きの例で説明したが、本発明の汚れ落とし装置でたとえば室内のクロス貼りの壁、椅子のクッション、浴場のタイル目地など、衣類以外のものの汚れを落とすこともできる。
【図面の簡単な説明】
【００１９】
【図１】実施例の振動式汚れ落とし装置の正面図である。
【図２】実施例のクリーニングヘッドを示す斜視図である。
【図３】実施例の他のクリーニングヘッドを示す斜視図である。
【図４】従来の技術における染み抜き装置の構成図である。
【図５】従来の技術における染み抜き装置の使用状況を示す説明図である。
【符号の説明】
【００２０】
１    （汚れ落とし装置の）本体
２、2a、2b    クリーニングヘッド
３    超音波染み抜き装置
11    振動部
12    クランプ
13    スイッチ
20    保持部
21    ハンマ
22    ブラシ
31    超音波発生ヘッド部
32    ホーン
33    振動子
34    発振器
35    電源
Ｃ    衣服
Ｐ    当て布
【図１】
2005237466.tif 000003
【図２】
2005237466.tif 000004
【図３】
2005237466.tif 000005
【図４】
2005237466.tif 000006
【図５】
2005237466.tif 000007